(57)【要約】【課題】プラント監視装置において、障害解析時間を短縮することを目的とする。【解決手段】プラント監視装置は、画面操作が実施されるとイベントログを作成して保存する制御装置と、制御装置に接続されている画面表示装置と、を備え、イベントログは、ＩＤと、起因と、操作時刻と、ログ分類番号と、ログ内容を含んでいることを特徴とする。イベントログは、画面表示装置に表示されている画面を管理する画面番号を含んでいてもよい。【選択図】図２
2016170559.tif 000002
【特許請求の範囲】
【請求項１】
画面操作が実施されるとイベントログを作成して保存する制御装置と、
前記制御装置に接続されている画面表示装置と、を備え、
前記制御装置が作成するイベントログは、ＩＤと、起因と、操作時刻と、ログ分類番号と、ログ内容を含んでいることを特徴とするプラント監視装置。
【請求項２】
前記制御装置が作成するイベントログは、前記画面表示装置に表示されている画面を管理する画面番号を含んでいることを特徴とする請求項１に記載のプラント監視装置。
【請求項３】
前記制御装置は、ハードウエアまたはソフトウエアの異常発生を検出すると、イベントログを作成することを特徴とする請求項１または２に記載のプラント監視装置。
【請求項４】
前記制御装置は、ハードウエアまたはソフトウエアがログを作成すると、イベントログを作成することを特徴とする請求項１または２に記載のプラント監視装置。
【請求項５】
画面操作が実施されるとイベントログを作成して保存する制御装置と、
前記制御装置に接続されている画面表示装置と、
前記制御装置が作成したイベントログを、ネットワークを経由して取り込んで、保存する外部保守端末装置とを、備え、
前記制御装置が作成するイベントログは、ＩＤと、起因と、操作時刻と、ログ分類番号と、ログ内容を含んでいることを特徴とするプラント監視装置。
【請求項６】
前記外部保守端末装置が保存したイベントログは、ＩＤと、起因と、操作時刻と、ログ分類番号と、ログ内容と、装置名を含んでいることを特徴とする請求項５に記載のプラント監視装置。
【発明の詳細な説明】
【技術分野】
【０００１】
本発明はプラント監視装置に関し、特に、障害発生時に迅速に解析作業を行うことが可能なプラント監視装置に関するものである。
【背景技術】
【０００２】
プラント監視装置では、ハードウエアおよびソフトウエアになんらかの故障や障害が発生することが想定される。このため、オペレータが行った操作と過去の情報を元に故障発生時の解析を容易に行える機能を備えたプラント監視装置が提案されている（たとえば特許文献１〜５）。
【０００３】
画面操作の情報は、断続的であっても障害発生時の原因調査において重要な役割を果たす。プラント監視用マンマシン装置は、画面を操作したときのタイミングで、画面操作のログとその時に表示されている画面データを採取して一対一に対応させて保存している（たとえば特許文献６）。
【先行技術文献】
【特許文献】
【０００４】
【特許文献１】特開平６−１０３１２２号公報
【特許文献２】特開平８−２２１２９５号公報
【特許文献３】特開平１０−３０１８１５号公報
【特許文献４】特開平１１−１１９８２３号公報
【特許文献５】特開２００６−９９２９８号公報
【特許文献６】特開２０１１−１０８１５７号公報
【発明の概要】
【発明が解決しようとする課題】
【０００５】
プラント監視用マンマシン装置は、画面操作ログと画像データとを一対一に対応させて保存するように構成されている。時刻情報やそのときに発生したハードウエア（Ｈ/Ｗ）のログ等は保存していない。たとえばソフトウエア（Ｓ/Ｗ）の不具合による障害の場合、ログから直接原因が分からないので、人手による解析が必要な場合が生じ、解析にかなりの時間を要している。
【０００６】
また、過去に経験した復旧可能な障害を活用して、この時作成される障害ログの異常発生時から頻度を算出する方法も行われている。この手法では、ソフトウエアの構成によりログが別になる可能性がある。違ったログでも障害が発生するため、解析はログをもとに行う必要がある。しかし、そのときに発生したログの情報だけでは、分析に十分な情報が入手できない。
【０００７】
この発明は上記のような課題を解決するためになされたものである。障害発生時のハードウエアやソフトウエアのログや操作時刻、さらには画面データと操作ログを一つの情報としてまとめ、障害発生時に関連するデータに結び付けて保存することで、障害解析時間を短縮することが可能なプラント監視装置を提供する目的とする。
【課題を解決するための手段】
【０００８】
本発明にかかるプラント監視装置は、画面操作が実施されるとイベントログを作成して保存する制御装置と、制御装置に接続されている画面表示装置と、を備え、イベントログは、ＩＤと、起因と、操作時刻と、ログ分類番号と、ログ内容を含んでいることを特徴と
する。
【発明の効果】
【０００９】
この発明によるプラント監視装置によれば、オペレータの操作による障害が発生したときに、時刻を始めとしてプログラムのエラーだけではなく、エラー発生時の画面操作状況、そのときに表示されていた画面がまとめて確認できる。障害が発生した時刻のログを確認することで、障害発生時におけるログ解析時間の短縮が可能となるため、障害調査時間の効率化が図れる。
【図面の簡単な説明】
【００１０】
【図１】実施の形態１に係わるプラント監視装置の全体構成を示す図である。
【図２】イベントログの構成を示す図である。
【図３】ログ番号と内容分類の関係を示すログ分類表を示す図である。
【図４】実施の形態１に係わるプラント監視装置の動作を示すフローチャートを表している図である。
【図５】実施の形態２に係わるプラント監視装置の全体構成を示す図である。
【図６】実施の形態２に係わるプラント監視装置の動作を示すフローチャートを表している図である。
【図７】実施の形態３に係わるプラント監視装置の全体構成を示す図である。
【図８】実施の形態３に係わるプラント監視装置の動作を示すフローチャートを表している図である。
【図９】実施の形態４に係わるプラント監視装置の全体構成を示す図である。
【図１０】実施の形態５に係わるプラント監視装置の全体構成を示す図である。
【図１１】実施の形態５に係わるイベントログの構成を示す図である。
【発明を実施するための形態】
【００１１】
本発明の実施の形態に係るプラント監視装置について、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、プラント監視装置の構成は、実際にはさらに複数の部材を備えているが、説明を簡単にするため、説明に必要な部分のみを記載し、他の部分については省略している。
【００１２】
実施の形態１．
図１は、実施の形態１に係わるプラント監視装置１００の全体構成を示している。プラント監視装置１００は、画面表示装置１と制御装置２を備えている。画面表示装置１は、制御装置２と接続されていて、マウスやタッチパネルなどの操作Ｉ/Ｆ（Interface）を備えている。その操作は制御装置２の入出力Ｉ/Ｆ管理部５で管理され、操作の内容は操作ログ管理部８が管理する。画面表示装置１に表示される画面は、制御装置２の画面表示部/管理部３が管理しており、画面のデータは画面表示用データ部４で管理されている。ここで管理されるデータにはたとえば機器の温度などが含まれている。制御装置２のＳ/Ｗ管理部６は、ソフトウエアの動作を管理する。制御装置２のＨ/Ｗ管理部７は、ハードウエアの動作を管理する。制御装置２のイベントログ作成部９は、各管理部からのイベントを受け付け、イベントログを作成する。制御装置２のイベントログデータ保存部１０は、作成されたイベントログを保存する。
【００１３】
図２は、イベントログ作成部９が作成するイベントログの構成を表している。イベントログは、構成変更や障害発生、セキュリティ監査などシステムで発生するさまざまな事象（＝イベント）を記録するしくみである。イベントログ１０１は、イベントの番号を示すＩＤ１０２（Identification：認識番号）、イベントログが発生した起因１０３、イベントまたは起因１０３が発生じた操作時刻１０４、ログ内容１０６を分類分けしたログ分類番号１０５、および発生したログの詳細内容が記録されているログ内容１０６で構成されている。図３は、ログ番号と内容分類の関係を示すログ分類表２０１の一例である。ログ分類番号１０５は、ログ番号２０２と内容分類２０３とで定義されている。
【００１４】
次に本実施の形態に係るプラント監視装置の動作について図４のフローチャートを用いて説明する。動作が開始すると、オペレータは画面表示装置１が備えている操作Ｉ/Ｆ（Interface）を使って画面操作を実施する（Ｆ１，Ｆ２）。画面表示装置１には、画面操作の内容が表示される。すると、操作内容が入出力Ｉ/Ｆ管理部５をとおして操作ログ管理部８にわたる。操作が発生したタイミングで、イベントログ作成部９に通知され、イベントログ作成部９は、操作を起点にＩＤ１０２と操作時刻１０４と起因１０３をイベントログに付加する（Ｆ３）。イベントログ作成部９は、実際にオペレータが操作した内容を操作ログ管理部８から受け取り、操作内容をログ内容１０６に追加する（Ｆ４）。
【００１５】
さらに、イベントログ作成部９は、オペレータが操作していたときに画面表示装置１に表示されていた画面を画面表示／管理部３から受け取りログ内容１０６に追加する（Ｆ５）。その時、画面に表示されていた画面表示用データもログ内容１０６に追加される（Ｆ６）。また、オペレータの操作に起因して、Ｈ/Ｗ管理部７およびＳ/Ｗ管理部６がログを出力していないかを確認し、出力していればログ内容１０６に追加する（Ｆ７）。最後に、ログ分類表２０１をもとに、追加したログ内容１０６が属する内容分類２０３に対応したログ番号２０２をログ分類番号１０５に追加し（Ｆ８）、イベントログデータ保存部１０にイベントログを保存する（Ｆ９）。
【００１６】
以上のように、この実施の形態１に係わるプラント監視装置は、オペレータによる画面操作を行う画面表示装置を備えている。入出力Ｉ/Ｆ管理部は、オペレータの操作内容を管理し、操作内容に対してログ生成を依頼する機能を持っている。画面表示用データ部は、画面表示装置に表示されている画面データを管理する。画面表示／管理部は、画面表示装置に表示されている画面を管理する。イベントログ作成部は、ログ生成の通知を受け取りオペレータの操作に起因した操作時刻と操作内容の詳細を一対一で結びつけるためのイベントログ構造をもつイベントログを生成する。イベントログデータ保存部は、作成したイベントログを保存する。このため、障害発生時の解析時間が短縮され、システムのダウンタイムが短くなり、装置の稼働率が向上する。
【００１７】
実施の形態２．
実施の形態２に係わるプラント監視装置の全体構成を図５に示す。上記実施の形態１では操作に起因するログを作成する場合について述べた。本実施の形態では、図に示すように、制御装置２の内部に、異常発生時にもイベントログ１０１を作成する機構として、異常検出管理部１１を設けている。異常検出管理部１１は、Ｓ/Ｗ管理部６やＨ/Ｗ管理部７が検知した異常をイベントログ作成部９に通知する。
【００１８】
以下、異常発生時のイベントログ作成方法を図６のフローチャートを用いて説明する。Ｓ/Ｗ管理部６またはＨ/Ｗ管理部７が異常を検知してログを出力した場合は、Ｓ/Ｗ管理部６またはＨ/Ｗ管理部７から異常検出管理部１１に通知される（Ｆ２２）。その通知を受け異常検出管理部１１は、イベントログ作成部９にログ作成の通知を行う（Ｆ２３）。イベントログ作成部９は、一意に決めたＩＤ１０２とログを出力した操作時刻１０４と起因１０３を記入した異常検出を作成する（Ｆ２４）。
【００１９】
イベントログ作成部９は、画面表示装置１に表示されていた画面を画面表示/管理部３から受け取り、ログ内容１０６に追加する（Ｆ２５）。さらにその時、画面に表示されていた画面表示用データもログ内容１０６に追加する（Ｆ２６）。最後に、ログ分類表２０１をもとに、追加したログ内容１０６が属する内容分類２０３に対応したログ番号２０２をログ分類番号１０５に追加し（Ｆ２７）、イベントログデータ保存部１０にイベントログを保存する（Ｆ２８）。
【００２０】
以上のように実施の形態２に係わるプラント監視装置よれば、オペレータが操作していない要因で障害が発生に対しても、対応することができる。オペレータが操作したときと同等の情報が取得できるため、操作に起因しない障害要因に対しても迅速に解析が可能となり、さらなる効率化を図ることが可能となる。
【００２１】
実施の形態３．
実施の形態３に係わるプラント監視装置の全体構成を図７に示す。上記実施の形態２では、オペレータの操作や、制御装置２の異常が発生した場合のログ生成について述べた。実施の形態３では、図に示すように、Ｓ/Ｗ管理部６やＨ/Ｗ管理部７で、異常ではない通常のログ出力が発生した場合でも対応することができる。
【００２２】
以下、異常発生時のイベントログ作成方法を図８のフローチャートを用いて説明する。このフローチャートが示すように、Ｓ/Ｗ管理部６またはＨ/Ｗ管理部７がログ発生時にイベントログ作成部９に通知を行い（Ｆ３２）、ログを作成することで、プラント監視装置の挙動が詳細に把握することが可能になる。ログの内容からプラント監視装置の健全性を確認でき、保守性が向上する。
【００２３】
実施の形態４．
実施の形態４に係わるプラント監視装置の全体構成を図９に示す。上記実施の形態１〜３では、イベントログを制御装置２に保存する場合について述べた。本実施の形態では、図に示すように、イベントログデータ保存部１４を有する外部保守端末装置１３が、ネットワーク１２を経由して、制御装置２と接続されている。外部保守端末装置１３にイベントログ作成部９がイベントログを送信し、外部保守端末装置１３はイベントログデータ保存部１４に、送信されてきたイベントログを取り込んで保存する。イベントログデータ保存部１４に保存されているログの分析を行うことで、外部から制御装置２の分析が可能となり、保守性が向上する。
【００２４】
実施の形態５．
実施の形態５に係わるプラント監視装置の全体構成を図１０に示す。上記実施の形態４では制御装置２が１台の場合について述べた。本実施の形態では、イベントログ作成部９を備えた制御装置２と、イベントログ作成部１５を備えた制御装置１６と、イベントログデータ保存部１４を備えた外部保守端末装置１３を設けている。画面表示装置１は、制御装置２で行われた画面操作の内容を表示する。画面表示装置１７は、制御装置１６で行われた画面操作の内容を表示する。イベントログ構造には装置名を追加して、ログの発生先を特定できるようにしている。
【００２５】
図１１は、本実施の形態によるイベントログ構造を示している。イベントログ構造に装置名１０７が追加されている。外部保守端末装置１３のイベントログデータ保存部１４に対してログを送信することで、２台の制御装置２、１６の分析が外部保守端末装置１３で可能となる。プラント監視装置同士の連携の分析が容易に行え、複数の装置に起因する分析が効率よく行え、プラント監視システムの解析が容易に行える。
【００２６】
なお、本発明は、その発明の範囲内において、各実施の形態を自由に組み合わせたり、各実施の形態を適宜、変形、省略することが可能である。
【符号の説明】
【００２７】
１  画面表示装置、２  制御装置、３  画面表示/管理部、４  画面表示用データ部、５  入出力Ｉ/Ｆ管理部、６  Ｓ/Ｗ管理部、７  Ｈ/Ｗ管理部、８  操作ログ管理部、９  イベントログ作成部、１０  イベントログデータ保存部、１１  異常検出管理部、１２  ネットワーク、１３  外部保守端末装置、１４  イベントログデータ保存部、１５  イベントログ作成部、１６  制御装置、１００  プラント監視装置、１０１  イベントログ、１０２  ＩＤ、１０３  起因、１０４  操作時刻、１０５  ログ分類番号、１０６  ログ内容、１０７  装置名、２０１  ログ分類表、２０２  ログ番号、２０３  内容分類
【図１】
2016170559.tif 000003
【図２】
2016170559.tif 000004
【図３】
2016170559.tif 000005
【図４】
2016170559.tif 000006
【図５】
2016170559.tif 000007
【図６】
2016170559.tif 000008
【図７】
2016170559.tif 000009
【図８】
2016170559.tif 000010
【図９】
2016170559.tif 000011
【図１０】
2016170559.tif 000012
【図１１】
2016170559.tif 000013